(57)【特許請求の範囲】
【請求項１】
通信ネットワークを介してサーバ装置に接続される電子音楽装置において、
前記サーバ装置から所定期間ごとに配信される楽曲データであって、ユーザによって選択されまたはランダムに選択された１つまたは複数のジャンルに属する１つまたは複数の楽曲を表す１つまたは複数の楽曲データを記憶するための楽曲データ記憶エリアと、
前記楽曲データが前記サーバ装置から配信されたとき、前記楽曲データ記憶エリアに以前から記憶されている楽曲データを消去して、前記サーバ装置から配信された楽曲データを前記楽曲データ記憶エリアに書き込むことにより、前記楽曲データ記憶エリア内の楽曲データを更新する更新手段と、
楽曲データの更新を禁止するか否かを表すロックマーカーを、ユーザの操作に従って前記ジャンル単位または前記楽曲単位で楽曲データの更新を禁止するか否かに切換えるロックマーカー変更手段と、
前記ロックマーカーが楽曲データの更新をジャンル単位で禁止することを表しているとき、前記更新の禁止されているジャンルに属する楽曲データの前記更新手段による更新を禁止して、前記更新の禁止されているジャンルに属する楽曲データを前記楽曲データ記憶エリアに残し、前記ロックマーカーが楽曲データの更新を楽曲単位で禁止することを表しているとき、前記更新の禁止されている楽曲データの前記更新手段による更新を禁止して、前記更新の禁止されている楽曲データを前記楽曲データ記憶エリアに残す更新禁止手段と、
前記楽曲データ記憶エリアに記憶されている楽曲データをユーザの指示により再生する再生手段とを備えたことを特徴とする電子音楽装置。
【請求項２】
通信ネットワークを介してサーバ装置に接続され、前記サーバ装置から所定期間ごとに配信される楽曲データであって、ユーザによって選択されまたはランダムに選択された１つまたは複数のジャンルに属する１つまたは複数の楽曲を表す１つまたは複数の楽曲データを記憶するための楽曲データ記憶エリアを備えた電子音楽装置に適用され、前記電子音楽装置内に設けたコンピュータに、
前記楽曲データが前記サーバ装置から配信されたとき、前記楽曲データ記憶エリアに以前から記憶されている楽曲データを消去して、前記サーバ装置から配信された楽曲データを前記楽曲データ記憶エリアに書き込むことにより、前記楽曲データ記憶エリア内の楽曲データを更新する更新機能と、
楽曲データの更新を禁止するか否かを表すロックマーカーを、ユーザの操作に従って前記ジャンル単位または前記楽曲単位で楽曲データの更新を禁止するか否かに切換えるロックマーカー変更機能と、
前記ロックマーカーが楽曲データの更新をジャンル単位で禁止することを表しているとき、前記更新の禁止されているジャンルに属する楽曲データの前記更新機能による更新を禁止して、前記更新の禁止されているジャンルに属する楽曲データを前記楽曲データ記憶エリアに残し、前記ロックマーカーが楽曲データの更新を楽曲単位で禁止することを表しているとき、前記更新の禁止されている楽曲データの前記更新機能による更新を禁止して、前記更新の禁止されている楽曲データを前記楽曲データ記憶エリアに残す更新禁止機能と、
前記楽曲データ記憶エリアに記憶されている楽曲データをユーザの指示により再生する再生機能とを実現させるコンピュータプログラム。
【発明の詳細な説明】
【技術分野】
【０００１】
本発明は、ユーザが種々の楽曲を聴くことができるようにした電子音楽装置、サーバ装置、および両装置にそれぞれ適用されるコンピュータプログラムに関する。
【背景技術】
【０００２】
従来から、例えば、下記特許文献１に示されているように、電子楽器等の電子音楽装置において、電子音楽装置の紹介のためのデモンストレーション曲を表す楽曲データを予め記憶しておいて、同楽曲データを再生することは知られている。
【特許文献１】特許２９２７８４８号公報
【０００３】
しかし、上記従来技術においては、電子音楽装置に蓄積されているデモンストレーション曲を表す楽曲データは固定されているので、ユーザはすぐに飽きてしまうという問題がある。
【発明の開示】
【０００４】
本発明は、上記問題に対処するためになされたもので、その目的は、ユーザが種々の楽曲データを簡単に入手できるようにして、ユーザとって飽きの来ない楽曲データの再生を可能とすることにある。
【０００５】
上記目的を達成するために、本発明の特徴は、通信ネットワークを介してサーバ装置に接続される電子音楽装置において、サーバ装置から所定期間ごとに配信される楽曲データであって、ユーザによって選択されまたはランダムに選択された１つまたは複数のジャンルに属する１つまたは複数の楽曲を表す１つまたは複数の楽曲データを記憶するための楽曲データ記憶エリアと、楽曲データがサーバ装置から配信されたとき、楽曲データ記憶エリアに以前から記憶されている楽曲データを消去して、サーバ装置から配信された楽曲データを楽曲データ記憶エリアに書き込むことにより、楽曲データ記憶エリア内の楽曲データを更新する更新手段と、楽曲データの更新を禁止するか否かを表すロックマーカーを、ユーザの操作に従ってジャンル単位または楽曲単位で楽曲データの更新を禁止するか否かに切換えるロックマーカー変更手段と、ロックマーカーが楽曲データの更新をジャンル単位で禁止することを表しているとき、前記更新の禁止されているジャンルに属する楽曲データの更新手段による更新を禁止して、前記更新の禁止されているジャンルに属する楽曲データを楽曲データ記憶エリアに残し、ロックマーカーが楽曲データの更新を楽曲単位で禁止することを表しているとき、前記更新の禁止されている楽曲データの更新手段による更新を禁止して、前記更新の禁止されている楽曲データを楽曲データ記憶エリアに残す更新禁止手段と、楽曲データ記憶エリアに記憶されている楽曲データをユーザの指示により再生する再生手段とを備えたことにある。この場合、ジャンルとは、ジャズ、ロックなどの楽曲の属する音楽グループを意味する。
【０００７】
前記のように構成した本発明においては、サーバ装置からユーザによって選択されまたはランダムに選択された１つまたは複数のジャンルに属する１つまたは複数の楽曲を表す１つまたは複数の楽曲データが配信されると、更新手段は、楽曲データ記憶エリア内の以前から記憶されている楽曲データを前記配信された楽曲データに更新し、再生手段が、楽曲データ記憶エリアに記憶されている楽曲データをユーザの指示により再生する。これにより、電子音楽装置を所有するユーザは、ユーザによって選択されまたはランダムに選択された１つまたは複数のジャンルに属する１つまたは複数の楽曲を表す１つまたは複数の楽曲データを自動的かつ簡単に入手できるので、種々の楽曲を聴くことができるようになる。
【０００８】
また、ロックマーカー変更手段により、ロックマーカーがユーザの操作に従って楽曲データの更新をジャンル単位で禁止するように切換えられると、更新禁止手段は、前記更新の禁止されているジャンルに属する楽曲データの更新手段による更新を禁止して、前記更新の禁止されているジャンルに属する楽曲データを楽曲データ記憶エリアに残す。また、ロックマーカー変更手段により、ロックマーカーがユーザの操作に従って楽曲データの更新を楽曲単位で禁止するように切換えられると、更新禁止手段は、前記更新の禁止されている楽曲データの更新手段による更新を禁止して、前記更新の禁止されている楽曲データを楽曲データ記憶エリアに残す。これにより、ユーザは、気に入ったジャンルに属する楽曲または気に入った楽曲を聴き続けることができるようになる。
【００１０】
さらに、本発明の実施にあたっては、電子音楽装置およびサーバ装置の発明に限定されることなく、前記両装置に適用されるコンピュータプログラムおよび方法の発明としても実施し得るものである。
【発明を実施するための最良の形態】
【００１１】
以下、本発明の一実施形態について図面を用いて説明すると、図１は本発明に係る楽曲データの配信システムを概略的に示している。この配信システムは、通信ネットワーク１０（例えば、インターネット）を介して互いに接続されたサーバ装置２０および複数の電子音楽装置３０からなる。
【００１２】
サーバ装置２０は、図２に示すように、設定操作子２１、表示器２２および通信インターフェース回路２３を備えている。設定操作子２１は、複数のスイッチ等からなり、サーバ装置の動作を指示する。設定操作子２１の操作は、バス２４に接続された検出回路２１ａによって検出される。表示器２２は、液晶ディスプレイ、ＣＲＴなどで構成され、文字、数字、図形などを表示する。この表示器２２の表示内容は、バス２４に接続された表示制御回路２２ａによって制御される。通信インターフェース回路２３は、通信ネットワーク１０に接続されて、電子音楽装置３０と交信する。
【００１３】
また、サーバ装置２０は、バス２４にそれぞれ接続されていてコンピュータ部２５を構成するＣＰＵ２５ａ、タイマ２５ｂ、ＲＯＭ２５ｃおよびＲＡＭ２５ｄを備えているとともに、外部記憶装置２６を備えている。外部記憶装置２６は、ハードディスク、光ディスクなどの大容量の記録媒体と、同各記録媒体に対するドライブユニットを含むものであり、後述するデータおよびプログラムの記憶及び読出しを可能にしている。外部記憶装置２６には、電子音楽装置３０に配信される複数の楽曲データを記憶した楽曲データベースが用意されている。
【００１４】
この楽曲データベースには、図４(Ａ)に示すように、複数のジャンル名１，２・・（例えば、ジャズ、ロックなどの音楽ジャンル）別に、複数の楽曲をそれぞれ表す複数の楽曲データ１，２・・が記憶されている。各楽曲データは、本実施形態では、電子音楽装置３０において楽曲を自動演奏させるための一連の演奏データからなる自動演奏データ（例えば、ＭＩＤＩデータ）である。ただし、自動演奏データに代えて、楽曲データは、楽曲を録音した圧縮または非圧縮のオーディオ形式のディジタル楽音信号データであってもよい。また、この楽曲データに、同楽曲に対応した楽譜を表す楽譜データまたは映像を表す映像データを付随させておいて、楽曲データと同時または別々に電子音楽装置３０に送信されるようにしておいてもよい。さらに、各楽曲データは、購入用楽曲データおよび試聴用楽曲データからなる。試聴用楽曲データは、購入用楽曲データに比べて、長さが短い、音質や画質が低い。しかし、試聴用楽曲データは、購入用楽曲データを購入する前にその内容を概略的に把握するためのものであるので、単純に試聴するためには十分であり、購入用楽曲データに比べて安価、または無償で提供され得る。
【００１５】
一方、電子音楽装置３０は、例えば電子楽器であり、図３に示すように、演奏操作子３１、設定操作子３２、表示器３３および音源回路３４を備えている。演奏操作子３１は、演奏者によって操作されてそれぞれ発生楽音の音高を指定するための、例えば複数の鍵からなる鍵盤である。設定操作子３２は、操作パネル上に設けられ、演奏者によって操作されて電子音楽装置３０の動作を指示する。演奏操作子３１および設定操作子３２の操作は、バス３５に接続された検出回路３１ａ，３２ａによってそれぞれ検出される。
【００１６】
表示器３３は、操作パネル上に設けられた液晶ディスプレイ、ＣＲＴなどで構成され、文字、数字、図形などを表示する。この表示器３３の表示内容は、バス３５に接続された表示制御回路３３ａによって制御される。特に、この表示器３３には、詳しくは後述するが、サーバ装置２０から配信された楽曲データに関して、図７に示す表示画面が表示されるようになっている。そして、この表示器３３は、画面上の表示操作子へのタッチを検出するタッチパネル機能も備えており、このタッチ検出機能は表示制御回路３３ａによって実現される。
【００１７】
音源回路３４は、バス３５に接続されていて、後述するコンピュータ部３６の制御のもとに供給される演奏データおよび各種楽音制御パラメータに基づいてディジタル楽音信号を生成して、生成したディジタル楽音信号を効果回路３４ａに出力する。また、この音源回路３４は、供給されたオーディオ形式のディジタル楽音信号データをディジタル楽音信号としてそのまま効果回路３４ａに出力する機能も有している。効果回路３４ａは、バス３５に接続されて、コンピュータ部３６の制御のもとに、ディジタル楽音信号にコーラス、リバーブなどの各種効果を付与してサウンドシステム３４ｂに出力する。サウンドシステム３４ｂは、Ｄ／Ａ変換器、アンプおよびスピーカなどからなり、供給されるディジタル楽音信号に対応した楽音を放音する。
【００１８】
また、この電子音楽装置３０は、バス３５にそれぞれ接続されていてコンピュータ部３６を構成するＣＰＵ３６ａ、タイマ３６ｂ、ＲＯＭ３６ｃおよびＲＡＭ３６ｄを備えているとともに、外部記憶装置３７、ＭＩＤＩインターフェース回路３８および通信インターフェース回路３９も備えている。外部記憶装置３７は、この電子音楽装置３０に予め組み込まれているハードディスクＨＤおよびフラッシュメモリ、同電子楽器に装着可能なコンパクトディスクＣＤおよびフレキシブルディスクＦＤなどの種々の記録媒体と、同各記録媒体に対するドライブユニットを含むものであり、後述するデータおよびプログラムの記憶及び読出しを可能にしている。これらのデータおよびプログラムは予め外部記憶装置３７に記憶されていてもよいし、ＭＩＤＩインターフェース回路３８および通信インターフェース回路３９を介して外部から取り込んでもよい。
【００１９】
ＭＩＤＩインターフェース回路３８は、他の電子音楽装置、パーソナルコンピュータなどのＭＩＤＩ対応の外部機器４０に接続可能となっていて、この電子音楽装置３０が外部機器４０と各種プログラム及びデータを交信可能としている。通信インターフェース回路３９は、通信ネットワーク１０に接続可能となっていて、この電子音楽装置３０が各種プログラム及びデータをサーバ装置２０から受信し、またはサーバ装置２０に送信できるようになっている。
【００２０】
次に、上記のように構成した楽曲データの配信システムの動作について説明する。サーバ装置２０においては、コンピュータ部２５は、図５の楽曲データ配信プログラムの実行を所定時間ごとに繰り返し実行する。一方、電子音楽装置３０においては、コンピュータ部３６が図５の楽曲データ受信プログラムを所定時間ごとに繰り返し実行する。なお、サーバ装置２０においては、常に電源がオンされている。また、電子音楽装置３０においては、メイン電源がオフされていても、この楽曲受信プログラムの作動だけは確保されるようになっている。例えば、サーバ装置２０からの楽曲データ配信タイミングを含む所定期間にタイマ動作より自動的に電源がオンされる。なお、メイン電源がオンの間のみ楽曲データを受信し、オフの場合には受信しないようにしてもよい。また、この場合の電子音楽装置３０は、サーバ装置２０の管理者と事前の契約を取り交わしたユーザに帰属するもので、サーバ装置２０には電子音楽装置３０のＩＤが事前に記憶されている。
【００２１】
まず、サーバ装置２０の動作から説明すると、コンピュータ部２５は、ステップＳ１０にて楽曲データ配信プログラムの実行を開始する。そして、前回の楽曲データの配信から予め決められた一定期間が経過していなければ、ステップＳ１１にて「Ｎｏ」と判定して、ステップＳ１５にてこの楽曲データ配信プログラムの実行を一旦終了する。なお、この一定期間は、例えば、１日、１週間などという期間である。
【００２２】
また、前回の楽曲データの配信から前記一定期間が経過していると、コンピュータ部２５は、ステップＳ１１にて「Ｙｅｓ」と判定して、ステップＳ１２〜Ｓ１４の処理を実行する。ステップＳ１２においては、乱数テーブルを用いてランダムに１つまたは複数のジャンルを選択する。ステップＳ１３においては、前記選択されたジャンルごとに、乱数テーブルを自動的に用いてランダムに１つまたは複数の楽曲を選択する。ステップＳ１４においては、前記選択した楽曲に関する楽曲データを、同楽曲データの含まれるジャンルを表すジャンル名データと共に、各電子音楽装置３０に一斉に配信する。この配信された楽曲データは、各電子音楽装置３０によって受信される。なお、この場合に配信される楽曲データは試聴用楽曲データである。
【００２３】
一方、電子音楽装置３０においては、コンピュータ部３６が、楽曲データ受信プログラムの実行をステップＣ１０にて開始する。そして、サーバ装置２０からの楽曲データの配信がなければ、すなわちサーバ装置２０からの新たな楽曲データの受信をしていなければ、ステップＣ１１にて「Ｎｏ」と判定して、ステップＣ１３にて楽曲データ受信プログラムの実行を一旦終了する。
【００２４】
また、サーバ装置２０から配信された新たな楽曲データを受信していれば、ステップＣ１１にて「Ｙｅｓ」と判定して、ステップＣ１２の処理を実行する。ステップＣ１２においては、受信した楽曲データをジャンル名データと共に、外部記憶装置２６内に予め用意されている楽曲データ記憶エリアに上書きして保存する。すなわち、楽曲データ記憶エリアに以前から記憶されていた楽曲データは消去されて、新たな楽曲データが楽曲データ記憶エリアに書き込まれる。ただし、受信した楽曲データのうちで、後述するようにロック（更新不能）されているジャンルに属する楽曲データは楽曲データ記憶エリアに書き込まれることはない。また、ロックされている楽曲データについては、楽曲データ記憶エリアにそのまま残される。
【００２５】
この外部記憶装置３７に設けられた楽曲データ記憶エリアについて説明しておく。この楽曲データ記憶エリアには、図４(Ｂ)に示すように、受信した楽曲データの属する１つまたは複数のジャンルＡ，Ｂ・・を表すジャンル名データを記憶するとともに、前記受信した１つまたは複数の楽曲データを各ジャンル別に記憶する。前記ステップＣ１２の処理直後における楽曲データは全て試聴用楽曲データであり、しかも、これらの楽曲データにはジャンルに対応してＡ−１，Ａ−２・・のように楽曲番号が付される。さらに、各ジャンル名データおよび楽曲データには、ロック（更新不能）またはアンロック（交信可能）を表すロックマーカーが付される。ロックマーカーは、図４(Ｂ)(Ｃ)に示すように、アンロックが「−」で表され、ロックが「Ｌ」で表される。前記ステップＣ１２の処理直後においては、ロックマーカーは全て「−」である。
【００２６】
次に、上記試聴用楽曲データの配信および受信後、ユーザが試聴用楽曲データを再生、ロックおよび購入する処理について説明する。この場合、図示しないプログラムの実行により、電子音楽装置３０のコンピュータ部３６は、表示器３３に図７に示す画面を表示する。この表示画面においては、ジャンル指定操作子３３ｂ、ジャンル名３３ｃ、楽曲名３３ｄ、ロック指定操作子３３ｅ、再生指示操作子３３ｆおよび購入指定操作子３３ｇが表示される。そして、これらの表示においては、前記受信されて楽曲データ記録エリアに記憶されている楽曲データに関する情報も含まれる。
【００２７】
ジャンル指定操作子３３ｂは、前記受信した楽曲データが属する１つまたは複数のジャンルに対応したジャンルＡ，Ｂ・・を表す。そして、電子音楽装置３０において現在選択状態にあるジャンル（この場合、ジャンルＡ）に対応したジャンル指定操作子３３ｂは、他のジャンル指定操作子とは異なる態様で表示される。ジャンル名は、現在選択状態にあるジャンル名（この場合、ジャズ）を表す。楽曲名３３ｄは、前記受信した楽曲データであって現在選択されているジャンルに属する１つまたは複数の楽曲データに対応した楽曲名を表す。
【００２８】
ロック指定操作子３３ｅは前記表示されたジャンル名および楽曲名に関する楽曲データのロックを指定するためのもので、後述するようにロック状態にあるジャンルまたは楽曲データに関しては「Ｌ」の文字が表示され、アンロック状設にあるジャンルまたは楽曲データに関しては「−」の記号が表示される。再生指示操作子３３ｆは、前記表示されたジャンル名および楽曲名に関する楽曲データの再生を指示するためのものである。購入指定操作子３３ｇは、前記表示された楽曲名に関する楽曲データの購入を指定するためのもので、後述するように、既に購入された楽曲データに関してはその表示態様が変更される（例えば、図示上から２番目の楽曲参照）。なお、ジャンル指定操作子３３ｂ、ロック指定操作子３３ｅ、再生指示操作子３３ｆおよび購入指定操作子３３ｇの表示は、前述した表示器３３および表示制御回路３３ａのタッチスイッチ機能により、各位置へのタッチスイッチとしても機能する。
【００２９】
このような表示状態においては、電子音楽装置３０のコンピュータ部３６は図６の表示処理プログラムを所定時間毎に繰り返し実行し、サーバ装置２０のコンピュータ部２５は図６の楽曲データ購入処理プログラムを所定時間毎に繰り返し実行している。表示画面処理プログラムの実行はステップＣ２０にて開始され、ユーザによってジャンル指定操作子３３ｂの一つが操作されると、コンピュータ部３６は、ステップＳ２１にて「Ｙｅｓ」と判定し、ステップＣ２２にて操作されたジャンル指定操作子３３ｂに対応したジャンルと、同ジャンルに属する楽曲名を表示する（図７参照）。なお、このステップＣ２２においては、操作されたジャンル指定操作子３３ｂと、その他のジャンル指定操作子３３ｂとの表示態様も変更される。
【００３０】
ロック指定操作子３３ｅのうちのいずれかが操作されると、コンピュータ部３６は、ステップＣ２３にて「Ｙｅｓ」と判定し、ステップＳ２４にて操作されたロック指定操作子３３ｅに対応したジャンルまたは楽曲名に関する楽曲データのロックおよびアンロック状態を反転する。すなわち、ジャンル名に対応したロック指定操作子３３ｅが操作された場合、表示されているジャンルがアンロック状態にあれば、外部記憶装置３７内の楽曲データ記憶エリアに記憶されているジャンル名データに付随したロックマーカーがアンロック状態を表す「−」からロック状態を表す「Ｌ」に変更される。表示されているジャンルがロック状態にあれば、前記ジャンル名データに付随したロックマーカーがロック状態を表す「Ｌ」からアンロック状態を表す「−」に変更される。
【００３１】
楽曲名に対応したロック指定操作子３３ｅが操作された場合、操作されたロック指定操作子３３ｅに対応して表示されている楽曲がアンロック状態にあれば、外部記憶装置３７内の楽曲データ記憶エリアに記憶されていて操作されたロック指定操作子３３ｅに対応した楽曲データに付随したロックマーカーがアンロック状態を表す「−」からロック状態を表す「Ｌ」に変更される。操作されたロック指定操作子３３ｅに対応して表示されている楽曲がロック状態にあれば、前記楽曲データに付随したロックマーカーがロック状態を表す「Ｌ」からアンロック状態を表す「−」に変更される。
【００３２】
楽曲データがロックされた場合には、ロック指定された楽曲データを含むジャンル名データに付属するロックマーカーを「Ｌ」に設定しても、同ジャンル名データに付属するロックマークを「−」のままに保ってもよい。前記ロックマーカーを「Ｌ」に設定するようにした場合には、前記図５のステップＣ１２の処理によって同一のジャンルに属する楽曲データを受信しても、外部記憶装置３７の楽曲データ記憶エリアには受信した楽曲データが記憶されない。前記ロックマーカーを「−」に保った場合には、前記図５のステップＣ１２の処理によって同一のジャンルに属する楽曲データを受信すれば、外部記憶装置３７の楽曲データ記憶エリアには、前記ロック状態に設定された楽曲データだけを保ったまま、新たに受信した楽曲データが前記同一のジャンルに属する楽曲データとして記憶される。また、このロックマーカーを「−」に保った場合には、前記図５のステップＣ１２の処理によって同一のジャンルに属する楽曲データを受信しない場合でも、前記ロック状態に設定された楽曲データだけは楽曲データ記憶エリアに残される。ただし、この場合には、同一のジャンルに属していて、ロック状態に設定されない楽曲データは外部記憶装置３７の楽曲データ記憶エリアから削除される。
【００３３】
図４(Ｃ)は、ジャンルＡがアンロック状態に設定されているとともに、ジャンルＢがロック状態に設定されている状態を示している。また、ジャンルＡ中の試聴用楽曲データＡ−１および購入用楽曲データＡ−２がロック状態に設定されているとともに、試聴用楽曲データＡ−３がアンロック状態に設定されている状態を示している。ただし、購入用楽曲データに関しては、後述するステップＣ２９の処理によって自動的にロック状態に設定される。また、図７に示すように、表示器３３に表示されている１つまたは複数のロック指定操作子３３ｅのうちで、ロック状態に設定されたジャンルまたは楽曲に関するロック指定操作子３３ｅにはロック状態を示す「Ｌ」なる文字が表示され、アンロック状態に設定されたジャンルまたは楽曲に関するロック指定操作子３３ｅにはアンロック状態を示す「−」なる記号が表示される。このようにロック状態に設定されたジャンルのジャンル名データおよび楽曲データ、およびロック状態に設定された楽曲データは、前述のように、図５のステップＣ１２の処理によっても更新されない。
【００３４】
再生指示操作子３３ｆのうちのいずれかが操作されると、コンピュータ部３６は、ステップＣ２５にて「Ｙｅｓ」と判定し、ステップＳ２６にて操作された再生指示操作子３３ｆに応じた楽曲データを再生させる。この場合、ジャンル名に対応した再生指示操作子３３ｆが操作された場合には、外部記憶装置３７に記憶されていて、表示されているジャンル名に対応したジャンルに属する全ての楽曲データが順次再生される。また、楽曲名に対応した再生指示操作子３３ｆが操作された場合には、外部記憶装置３７に記憶されていて、操作された再生指示操作子３３ｆに対応して表示されている楽曲の楽曲データが再生される。
【００３５】
楽曲データの再生においては、前記ステップＣ２６の処理により、図示しない自動演奏プログラムが起動されて、外部記憶装置３７に記憶されていて、前記再生指示操作子３３ｆの操作によって指定された楽曲データ中の演奏データが楽曲の進行に従って音源回路３４に供給される。音源回路３４は、この供給された演奏データに基づいてディジタル楽音信号を生成して、効果回路３４ａを介してサウンドシステム３４ｂに供給する。そして、サウンドシステム３４ｂがディジタル楽音信号をディジタル・アナログ変換して前記ディジタル楽音信号に対応した楽音を放音する。これにより、ユーザは、サーバ装置２０から配信された楽曲データのうちで所望の楽曲データを再生させて、同楽曲データに基づく楽曲を聴くことができる。
【００３６】
なお、楽曲データとして、前述のようにオーディオ形式のディジタル楽音信号データが採用されている場合には、前記ディジタル楽音信号データが音源回路３４に順次供給され、音源回路３４は供給されたディジタル楽音信号データをそのまま効果回路３４ａを介してサウンドシステム３４ｂに供給する。そして、サウンドシステム３４ｂがディジタル楽音信号データをディジタル・アナログ変換してディジタル楽音信号に対応した楽音を放音する。また、楽曲データに、同楽曲に対応した楽譜を表す楽譜データまたは映像を表す映像データが付随されている場合には、前記楽譜データまたは映像データが表示制御回路３３ａに供給されて、楽曲データの再生とともに、楽譜または映像が表示器３３にて表示される。
【００３７】
購入指定操作子３３ｇのうちのいずれかが操作されると、コンピュータ部３６は、ステップＣ２７にて「Ｙｅｓ」と判定し、ステップＳ２８にて操作された購入指定操作子３３ｇに対応した楽曲の購入要求をサーバ装置２０に送信する。一方、サーバ装置２０は、ステップＳ２０〜Ｓ２４からなって前記電子音楽装置３０の表示画面処理プログラムと並行して実行している楽曲データ購入処理プログラムにおいて、ステップＳ２１にて「Ｙｅｓ」すなわち購入要求を受信したと判定して、ステップＳ２２，Ｓ２３の処理を実行する。ステップＳ２２においては、前記購入要求した電子音楽装置３０のユーザに対して課金処理を実行する。ステップＳ２３においては、購入の要求された楽曲の購入用楽曲データを電子音楽装置３０に配信する。
【００３８】
電子音楽装置３０のコンピュータ部３６は、前記購入用楽曲データを受信して、同受信した購入用楽曲データを、前記購入の要求された試聴用楽曲データに代えて、外部記憶装置３７内の楽曲データ記憶エリアに記憶する。また、この記憶と同時に、前記購入用楽曲データに付随するロックマーカーを「Ｌ」に設定するとともに、対応したロック指定操作子３３ｅの表示を「Ｌ」に変更する。さらに、購入指定操作子３３ｇの表示を「購入」なる文字表示から「−」の記号表示に変更する。これにより、購入された楽曲データは、サーバ装置２０からの新たな楽曲データの送信があっても、外部記憶装置３７の楽曲データ記憶エリアから消去されない。
【００３９】
上記実施形態によれば、電子音楽装置３０を所有するユーザは、図５のステップＳ１１〜Ｓ１４，Ｃ１１，Ｃ１２の処理により、ランダムに選択された１つまたは複数のジャンルに属する１つまたは複数の楽曲データをランダムに選択し、同ランダムに選択した楽曲データを定期的に自動的かつ簡単に入手できるので、種々の楽曲を聴くことができるようになる。また、ステップＣ２３，Ｃ２４の処理により、前記配信された楽曲データの更新を選択的に禁止できるので、ユーザは、気に入ったジャンルに属する楽曲または気に入った楽曲を聴き続けることができるようになる。さらに、ステップＳ２１〜Ｓ２３，Ｃ２７〜Ｃ２９の処理により、ユーザは気に入った楽曲の楽曲データを購入することもできる。そして、この購入した楽曲データは、前記自動的に配信される楽曲データよりも高品質であるので、気に入った楽曲をより高音質で聴くこともできる。
【００４０】
次に、上記実施形態の変形例について説明する。上記実施形態においては、サーバ装置２０にて予め決められた一定期間ごとに、ジャンルおよび楽曲をランダムに選択して、全ての電子音楽装置３０に同一の楽曲データを配信するようにした。しかし、これに代えて、電子音楽装置３０ごと、または電子音楽装置３０を複数のグループに分けた各グループごとに、ジャンルおよび楽曲をランダムに選択してジャンル名データおよび楽曲データを配信するようにしてもよい。
【００４１】
また、ジャンルの選択方法に関しては、ユーザが指示するようにしてもよい。この場合、サーバ装置２０の配信サービスの前に、ユーザが電子音楽装置３０を用いてジャンルの選択方法を指定して、サーバ装置２０にジャンルの選択方法を指示しておく。そして、このジャンルの指定方法は、図８に示すように、サーバ装置２０の外部記憶装置２６内に設けた楽曲データベース内に、各電子音楽装置３０のＩＤに対応させて記憶しておく。ジャンルの選択方法としては、例えば、ユーザが希望する１つまたは複数のジャンル（図８の１，３，５参照）を指定する。また、ユーザがランダム（図８のランダム参照）を希望してもよい。さらに、ユーザが特定のジャンルおよびランダム（図８の２，４、ランダム参照）の両方を選択してもよい。この両方の選択の場合には、ユーザが選択したジャンルに属する１つまたは複数の楽曲が必ず選択され、限られた数のジャンルがランダムに選択される。
【００４２】
この場合、サーバ装置２０は、図５のステップＳ１２，Ｓ１３にて、ユーザごとのＩＤに対応して記憶されたジャンル指定方法を表すデータに基づいて、ユーザごとにユーザの指定方法に従ってジャンルを選択し、選択したジャンルに属する楽曲データをランダムに選択するようにすればよい。そして、サーバ装置２０は選択した楽曲データにユーザＩＤを付して全ての電子音楽装置３０へと配信し、各電子音楽装置３０は、自身のＩＤが付された楽曲データのみを取込む。なお、ジャンルがランダムに選択された場合には、各電子音楽装置３０は、ＩＤに関係なく配信された楽曲データを取込んでもよい。この変形例によれば、ユーザによって選択された１つまたは複数のジャンルに属する１つまたは複数の楽曲データが、電子音楽装置３０に定期的かつ自動的に配信されるので、ユーザは意志の反映された種々の楽曲を聴くことができる。
【００４３】
また、上記実施形態の楽曲データの配信システムにおいては、電子音楽装置３０からの定期的な要求に応じて、楽曲データがサーバ装置２０から電子音楽装置３０に配信されるようにも変更できる。この場合、サーバ装置２０および電子音楽装置３０は、図９の楽曲データ配信プログラムおよび楽曲データ受信プログラムをそれぞれ実行する。楽曲データ受信プログラムの実行はステップＣ４０に開始され、電子音楽装置３０のコンピュータ部３６は予め決められた一定期間の経過を検出すると、ステップＣ４１にて「Ｙｅｓ」と判定して、ステップＣ４２にて自己のＩＤと共に楽曲データの配信要求をサーバ装置２０に送信する。
【００４４】
一方、サーバ装置２０は、楽曲データ配信プログラムをステップＳ４０にて実行開始しており、前記楽曲データの配信要求に応答して、ステップＳ４１にて「Ｙｅｓ」すなわち楽曲データの配信要求を受信したと判定して、ステップＳ４２〜Ｓ４４の処理を実行する。ステップＳ４２，Ｓ４３においては、上記実施形態の図５のステップＳ１２，Ｓ１３と同様に、１つまたは複数のジャンルをランダムに選択して、同選択したジャンルに含まれる１つまたは複数の楽曲を選択する。なお、ステップＳ４２においては、前記変形例のように、図８のＩＤに対応した選択方法データに基づき、ユーザが指定した１つまたは複数のジャンルを選択してもよい。ステップＳ４４においては、前記選択した楽曲の楽曲データを、ジャンル名を表すジャンル名データと共に、前記受信したＩＤに対応した電子音楽装置に配信する。
【００４５】
そして、前記楽曲データの配信を要求した電子音楽装置３０においては、コンピュータ部３６が、上記実施形態の図５のステップＣ１２の処理と同様に、ステップＣ４３にて前記配信された楽曲データおよびジャンル名データを受信して、外部記憶装置３７内に設けた楽曲データ記憶エリアに記憶する。その結果、この変形例によっても、ランダムまたはユーザによって選択された１つまたは複数のジャンルに属する１つまたは複数の楽曲データを、定期的に自動的かつ簡単に入手できるので、ユーザは種々の楽曲を聴くことができるようになる。
【００４６】
また、上記実施形態においては、ジャンルごとに１つまたは複数の楽曲データを用意するようにした。しかし、これに代えて、１つのジャンル内を複数の音色グループに分け、音色グループごとに複数の楽曲データを用意するようにしてもよい。なお、音色グループ分けとは、楽曲データを再生した場合に発生される楽音の音色または音色群ごとに楽曲データをグループ分けしておくことを意味する。この音色グループ分けにおいては、単一の音色（例えば、グランドピアノ音色、アップライトピアノ音色、エレクトリックピアノ音色、エレクトリックギター音色、アコースティックギター音色など）ごとにグループ分けしても、類似の複数の音色からなる音色群（例えば、グランドピアノ音色、アップライトピアノ音色、エレクトリックピアノ音色、エレクトリックギター音色などを含むピアノ系音色、エレクトリックギター音色、アコースティックギター音色などを含むギター系音色など）ごとであってもよい。図１０(Ａ)は、サーバ装置２０の外部記憶装置２６内に設けた楽曲データベース内に記憶された音色グループ分けした楽曲データの例を示している。図１０(Ｂ)は、電子音楽装置３０の外部記憶装置３７内の楽曲データ記憶エリアに記憶される音色グループ分けした楽曲データの例を示している。
【００４７】
また、１つのジャンル内を複数の自動伴奏スタイルに分け、自動伴奏スタイルグループごとに複数の楽曲データを用意するようにしてもよい。なお、自動伴奏スタイルグループ分けとは、電子音楽装置３０に内蔵されている自動伴奏スタイルデータを利用して制作された各種楽曲データを、各自動伴奏スタイルまたはスタイル群ごとに楽曲データをグループ分けしておくことを意味する。この自動伴奏スタイルグループ分けにおいては、単一の自動伴奏スタイル（例えば、７０‘ｓ  Ｒｏｃｋ，Ｈａｒｄ  Ｒｏｃｋなど）ごとにグループ分けしても、類似の複数の自動伴奏スタイルからなる自動伴奏スタイル群（例えば、７０‘ｓ  Ｒｏｃｋ，Ｈａｒｄ  Ｒｏｃｋなどからなるロック系スタイル群）ごとであってもよい。図１１(Ａ)は、サーバ装置２０の外部記憶装置２６内に設けた楽曲データベース内に記憶された自動伴奏スタイルグループ分けした楽曲データの例を示している。図１０(Ｂ)は、電子音楽装置３０の外部記憶装置３７内の楽曲データ記憶エリアに記憶される自動伴奏スタイルグループ分けした楽曲データの例を示している。
【００４８】
さらに、これらの楽曲データを音色または自動伴奏スタイルごとにグループ分けした場合も、楽曲データのロック、再生および購入に関しては、上記実施形態の場合と同様に、音色ごとまたは自動伴奏スタイルごとに指定できるようにすれるとよい。その結果、これらによれば、ユーザが電子音楽装置から発生される楽音の音色または電子音楽装置３０に内蔵されている自動伴奏スタイルを確認する（例えば、どのような音色または自動伴奏ステイルがどのような楽曲の演奏に適するかを確認する）ために、デモンストレーション用として好適な楽曲を聴くことができるようになる。
【００４９】
さらに、本発明の実施にあたっては、上記実施形態および変形例に限定されるものではなく、本発明の目的を逸脱しない限りにおいて種々の変更が可能である。
【００５０】
上記実施形態および変形例においては、楽曲データはサーバ装置２０から電子音楽装置３０に予め決められた一定期間ごとに配信されるようにした。しかし、これに代えて、ユーザが任意に指定できる期間としてもよい。また、この期間に関しても、常に一定期間ごとでなくても、ランダムに変化する可変期間であってもよい。
【００５１】
また、上記実施形態および変形例では、ジャンル指定操作子３３ｂ、ロック指定操作子３３ｅ、再生指示操作子３３ｆおよび購入指定操作子３３ｇとして表示器３３に付属したソフトスイッチを採用したが、設定操作子３２内に含められた物理的スイッチを採用してもよい。すなわち、表示器３３に付随したソフトスタイルのタッチパネル式スイッチでなくても、各表示オブジェクトの近傍に設けられた物理的スイッチの操作により、または各表示オブジェクトに対する操作を行うマウス等の操作子であってもよい。
【００５２】
また、上記実施形態において、ジャンルおよび楽曲データをロック状態に設定する場合、ジャンルおよび楽曲データを永久にロック状態に設定するのではなく、楽曲の配信間隔よりも長い有限の所定期間だけロック状態に設定するようにしてもよい。また、上記実施形態において、楽曲データを購入する場合、ジャンルを指定してジャンルに含まれる全ての楽曲を一度に購入できるようにしてもよい。また、上記変形例においては、音色グループまたは自動伴奏スタイルグループに含まれる全ての楽曲データを一度に購入できるようにしてもよい。
【００５３】
さらに、上記実施形態および変形例においては、演奏操作子３１として鍵盤を採用した電子楽器を電子音楽装置３０として採用したが、鍵に代えて、単なる押圧スイッチ、タッチスイッチなどを音高を指定する演奏操作子を採用した電子楽器を採用してもよい。さらに、サーバ装置２０との交信機能を有するとともに、楽曲データの再生機能を有するものならば、シーケンサ、カラオケ装置、パーソナルコンピュータなどの電子音楽装置３０を採用してもよい。
【図面の簡単な説明】
【００５４】
【図１】本発明の一実施形態に係る楽曲データ配信システムの概略図である。
【図２】図１のサーバ装置のブロック図である。
【図３】図１の電子音楽装置のブロック図である。
【図４】(Ａ)はサーバ装置内に記憶されている楽曲データのフォーマット図であり、(Ｂ)は電子音楽装置内に記憶される楽曲データの一例を示すフォーマット図であり、(Ｃ)は電子音楽装置内に記憶される楽曲データの他の例を示すフォーマット図である。
【図５】サーバ装置にて実行される楽曲データ配信プログラム、および電子音楽装置にて実行される楽曲データ受信プログラムを示すフローチャートである。
【図６】サーバ装置にて実行される楽曲データ購入処理プログラム、および電子音楽装置にて実行される表示画面処理プログラムを示すフローチャートである。
【図７】電子音楽装置の表示器における表示画面例を示す図である。
【図８】電子音楽装置ごとにジャンルの選択方法を特定する変形例によって利用されるＩＤテーブル例を示す図である。
【図９】サーバ装置にて実行される楽曲データ配信プログラム、および電子音楽装置にて実行される楽曲データ受信プログラムの各変形例を示すフローチャートである。
【図１０】(Ａ)はサーバ装置内に記憶されている楽曲データの第１変形例に係るフォーマット図であり、(Ｂ)は電子音楽装置内に記憶される楽曲データの第１変形例に係るフォーマット図である。
【図１１】(Ａ)はサーバ装置内に記憶されている楽曲データの第２変形例に係るフォーマット図であり、(Ｂ)は電子音楽装置内に記憶される楽曲データの第２変形例に係るフォーマット図である。
【符号の説明】
【００５５】
１０…通信ネットワーク、２０…サーバ装置、２１，３２…設定操作子、２２，３３…表示器、２３，３９…通信インターフェース回路、２５，３６…コンピュータ部、２６，３７…外部記憶装置、３１…演奏操作子群、３４…音源回路
【図１】
0004737403.tif 000002
【図２】
0004737403.tif 000003
【図３】
0004737403.tif 000004
【図４】
0004737403.tif 000005
【図５】
0004737403.tif 000006
【図６】
0004737403.tif 000007
【図７】
0004737403.tif 000008
【図８】
0004737403.tif 000009
【図９】
0004737403.tif 000010
【図１０】
0004737403.tif 000011
【図１１】
0004737403.tif 000012